(57)【要約】【課題】カメラレンズの交換作業において有益に使用できるレンズホルダーを、提供すること。【解決手段】マウント部を介してカメラ本体に交換可能に取り付けられるカメラレンズを、保持するためのレンズホルダー（５）であって、ホルダー本体（５１）と、吊り下げ部（５２）と、を備えており、ホルダー本体（５１）は、カメラレンズのマウント部に外嵌してカメラレンズを保持する、少なくとも１つの凹部（５０）を、有しており、吊り下げ部（５２）は、ホルダー本体（５１）を吊り下げるための吊り下げ用具に、連結可能に構成されている。【選択図】図２
2015210372.tif 000002
【特許請求の範囲】
【請求項１】
マウント部を介してカメラ本体に交換可能に取り付けられるカメラレンズを、保持するためのレンズホルダーであって、
ホルダー本体と、吊り下げ部と、を備えており、
前記ホルダー本体は、前記カメラレンズの前記マウント部に外嵌して前記カメラレンズを保持する、少なくとも１つの凹部を、有しており、
前記吊り下げ部は、前記ホルダー本体を吊り下げるための吊り下げ用具に、連結可能に構成されている、
ことを特徴とする、レンズホルダー。
【請求項２】
前記ホルダー本体が、板状体であり、両面にそれぞれ前記凹部を有している、
請求項１に記載のレンズホルダー。
【請求項３】
前記ホルダー本体が、前記凹部に保持された前記カメラレンズを保持状態のままロックするロック機構を、有している、
請求項１または２に記載のレンズホルダー。
【請求項４】
前記吊り下げ用具が、首掛け用又は腰掛け用のストラップである、
請求項１乃至３のいずれか１つに記載のレンズホルダー。
【請求項５】
前記ホルダー本体が、少なくとも１個のリアキャップで構成されている、
請求項１乃至４のいずれか１つに記載のレンズホルダー。
【請求項６】
前記ホルダー本体が、２個のリアキャップを背中合わせに接合して、構成されている、
請求項１乃至５のいずれか１つに記載のレンズホルダー。
【請求項７】
前記ホルダー本体が、複数の凹部を有しており、樹脂から一体成形して、構成されている、
請求項１乃至５のいずれか１つに記載のレンズホルダー。
【請求項８】
前記凹部が、バヨネット式機構又はねじ込み式機構又はスピゴット式機構によって、前記カメラレンズの前記マウント部に外嵌して前記カメラレンズを保持するようになっている、
請求項１乃至７のいずれか１つに記載のレンズホルダー。
【発明の詳細な説明】
【技術分野】
【０００１】
本発明は、カメラレンズを保持するためのレンズホルダーに関する。
【背景技術】
【０００２】
高性能なレンズ交換式のカメラは、例えば特許文献１に示されているように、一般に、カメラ本体と、カメラ本体に交換可能に取り付けられたカメラレンズと、を備えており、被写体に合わせてカメラレンズを交換して使用するようになっている。図１８は、そのようなカメラ１０の斜視図であり、カメラ１０は、カメラ本体２０とカメラレンズ３１とからなっている。
【０００３】
そして、図１８に示されるようなカメラ１０において、カメラレンズ３１を別のカメラレンズに交換する作業は、従来では、図１９〜図２３に示されるように、行われていた。なお、図１９〜図２３は、カメラ等を模式的に示している。また、ここでは、別のカメラレンズ３２はバッグ４０に収納されている。
【０００４】
まず、図１９に示されるカメラ１０において、図２０に示されるように、カメラレンズ３１を、カメラ本体２０から取り外し、近場に仮置きする。次に、図２１に示されるように、別のカメラレンズ３２をバッグ４０から取り出す。次に、図２２に示されるように、別のカメラレンズ３２の後端のマウント部３２１から、リアキャップ３を取り外し、カメラレンズ３２をカメラ本体２０に取り付ける。そして、図２３に示されるように、仮置きしていたカメラレンズ３１の後端のマウント部３１１に、リアキャップ３又は別のリアキャップを取り付けて、バッグ４０に収納する。
【先行技術文献】
【特許文献】
【０００５】
【特許文献１】特開２０１４−４８４４４号公報
【発明の概要】
【発明が解決しようとする課題】
【０００６】
しかしながら、図１９〜図２３に示される交換作業では、カメラ本体２０から取り外したカメラレンズ３１を適当な場所に仮置きしなければならないので、次のような問題があった。
（１）安定した仮置き場を探す必要があるため、面倒である。
（２）仮置きしたカメラレンズ３１に注意を払いながら交換作業を行う必要があるため、慎重にならざるを得ない。
（３）前記（１）、（２）の故に、シャッターチャンスを逃す恐れがある。
（４）不安定な仮置き場や不注意に起因して、カメラレンズ３１が傷付く恐れがある。
【０００７】
本発明は、カメラレンズの交換作業において使用することによって、前記のような問題が生じるのを防止できる、レンズホルダーを、提供することを目的とする。
【課題を解決するための手段】
【０００８】
本発明は、マウント部を介してカメラ本体に交換可能に取り付けられるカメラレンズを、保持するためのレンズホルダーであって、ホルダー本体と、吊り下げ部と、を備えており、前記ホルダー本体は、前記カメラレンズの前記マウント部に外嵌して前記カメラレンズを保持する、少なくとも１つの凹部を、有しており、前記吊り下げ部は、前記ホルダー本体を吊り下げるための吊り下げ用具に、連結可能に構成されている、ことを特徴としている。
【０００９】
本発明は、更に、次の構成（Ａ）〜（Ｆ）を、単独で又は任意に組み合わせて、採用するのが好ましい。
【００１０】
（Ａ）前記ホルダー本体が、板状体であり、両面にそれぞれ前記凹部を有している。
【００１１】
（Ｂ）前記ホルダー本体が、前記凹部に保持された前記カメラレンズを保持状態のままロックするロック機構を、有している。
【００１２】
（Ｃ）前記吊り下げ用具が、首掛け用又は腰掛け用のストラップである。
【００１３】
（Ｄ）前記ホルダー本体が、少なくとも１個のリアキャップで構成されている。
【００１４】
なお、前記構成（Ｃ）及び（Ｄ）において、「リアキャップ」とは、カメラレンズのマウント部にレンズを覆うように取り付けられてレンズを保護するキャップのことであり、その構造は、カメラレンズのメーカー毎に規格化されており、周知である。
【００１５】
（Ｅ）前記ホルダー本体が、２個のリアキャップを背中合わせに接合して、構成されている。
【００１６】
（Ｆ）前記ホルダー本体が、複数の凹部を有しており、樹脂から一体成形して、構成されている。
【００１７】
（Ｇ）前記凹部が、バヨネット式機構又はねじ込み式機構又はスピゴット式機構によって、前記カメラレンズの前記マウント部に外嵌して前記カメラレンズを保持するようになっている。
【発明の効果】
【００１８】
本発明によれば、例えば首から掛けて使用することにより、カメラレンズの交換作業において、カメラ本体から取り外したカメラレンズを、凹部に取り付けて、首から掛けた状態で保持できる。したがって、カメラ本体から取り外したカメラレンズを仮置きしたり、当該カメラレンズにリアキャップを取り付けたり、更にはバッグに収納したりする、という作業を、不要にできる。よって、カメラレンズの交換作業を迅速に行って、シャッターチャンスを生かすことができ、また、カメラレンズが仮置きしたことによって傷付くのを、防止できる。
【００１９】
前記構成（Ａ）によれば、交換用のカメラレンズを予め一方の面の凹部に保持しておくことができるので、カメラ本体から取り外したカメラレンズを、他方の面の凹部に取り付け、その後に、交換用のカメラレンズを、一方の面の凹部から取り外して、カメラ本体に取り付けることができる。したがって、例えば首から掛けて使用することにより、カメラマンの身体付近前方にてカメラレンズの交換作業の全てを行うことができる。よって、本発明の前記効果をより有効に発揮できる。
【００２０】
前記構成（Ｂ）によれば、ロック機構を作動させることにより、保持したカメラレンズが不慮に凹部から外れてしまうのを、防止できる。
【００２１】
前記構成（Ｃ）によれば、身体付近における交換作業を確実に実現できる。
【００２２】
前記構成（Ｄ）によれば、リアキャップという既存部材を用いるので、生産性を向上できる。
【００２３】
前記構成（Ｅ）によれば、前記構成（Ａ）を生産性良く実現できる。
【００２４】
前記構成（Ｆ）によれば、一体成形により部品点数を減らして、生産性を向上できる。
【００２５】
前記構成（Ｇ）によれば、種々のメーカーのカメラレンズの交換作業に、有効に使用できる。
【図面の簡単な説明】
【００２６】
【図１】本発明の一実施形態のレンズホルダーを首から吊り下げた使用状態を示す図である。
【図２】吊り下げ用具に連結された状態の、図１のレンズホルダーの、斜視部分図である。
【図３】図１のレンズホルダーのホルダー本体の斜視図である。
【図４】図３のレンズホルダーの平面図である。
【図５】図１のレンズホルダーのカメラレンズを保持する前の状態を示す断面模式図である。
【図６】図５のVI矢視図である。
【図７】図５のVII矢視図である。
【図８】図１のレンズホルダーのカメラレンズを保持した状態を示す断面模式図である。
【図９】図１のレンズホルダーを用いたカメラレンズの交換作業を説明するための図である。
【図１０】図９に続く交換作業を説明するための図である。
【図１１】図１０に続く交換作業を説明するための図である。
【図１２】レンズホルダーのロック機構を説明するための平面図である。
【図１３】ロック機構に対応したカメラレンズのマウント部を示す側面図及び端面図である。
【図１４】図１のレンズホルダーを腰に吊り下げた使用状態を示す図である。
【図１５】本発明の別の実施形態のレンズホルダーを示す模式図である。
【図１６】本発明の更に別の実施形態のレンズホルダーを示す模式図である。
【図１７】本発明の異なる実施形態のレンズホルダーを示す模式図である。
【図１８】従来のカメラを示す斜視図である。
【図１９】従来のカメラのカメラレンズの交換作業を説明するための図である。
【図２０】図１９に続く交換作業を説明するための図である。
【図２１】図２０に続く交換作業を説明するための図である。
【図２２】図２１に続く交換作業を説明するための図である。
【図２３】図２２に続く交換作業を説明するための図である。
【発明を実施するための形態】
【００２７】
［第１実施形態］
図１は、本発明の一実施形態のレンズホルダーの使用状態を示す図である。図１では、本実施形態のレンズホルダー５は、首掛け用のストラップ６１によって、カメラマンの首から吊り下げられた状態で使用されている。また、レンズホルダー５には、既に、交換用のカメラレンズ３２が保持されている。更に、図１では、レンズ交換式のカメラ１０も、カメラマンの首に掛けられている。カメラ１０は、カメラ本体２０とカメラレンズ３１とからなっている。
【００２８】
図２は、ストラップ６１が連結されたレンズホルダー５の斜視部分図である。図３は、レンズホルダー５の拡大斜視図である。図４は、レンズホルダー５の平面図である。レンズホルダー５は、ホルダー本体５１と吊り下げ部５２とからなっている。吊り下げ部５２は、ホルダー本体５１の外周面に設けられたリング体である。リング体には、図２に示されるように、ストラップ６１の端部６１１が連結されている。
【００２９】
ホルダー本体５１は、平面視円形の板状体であり、両面に凹部５０を有している。図５〜図８は、ホルダー本体５１の凹部５０にカメラレンズ３１のマウント部３１１が取り付けられる構造を示す断面図である。この構造は、本実施形態では、バヨネット式機構によって実現されている。具体的には、図５のVI矢視図である図６に示されるように、凹部５０の内周面５０１には、内向きに突出したバヨネット突起５０２が等間隔で３箇所に設けられており、バヨネット突起５０２間は、スペース５０３となっている。一方、図５のVII矢視図である図９に示されるように、カメラレンズ３１のマウント部３１１には、外向きの凸部３１１２が等間隔で３箇所に設けられており、凸部３１１２に、円周方向の溝３１１１が形成されている。そして、凸部３１１２がスペース５０３を通るように、マウント部３１１を凹部５０内に嵌め込み、その後、マウント部３１１を例えば６０度回転させると、図１０に示されるように、突起５０２がマウント部３１１の凸部３１１２の溝３１１１に嵌入し、すなわち、マウント部３１１と凹部５０とがバヨネット結合する。これにより、凹部５０へのマウント部３１１の取り付けが実現されている。カメラレンズ３２の場合も同様であり、更には、バヨネット式機構が適用された他のカメラレンズの場合も同様である。
【００３０】
なお、本実施形態では、ホルダー本体５１は、カメラレンズ３１等に使用される、２個のリアキャップ５１０を、背中合わせに接合することによって、構成されている。接合は、例えば接着剤又は溶融接着によって実現できる。すなわち、本実施形態では、凹部５０の内部構造は、リアキャップ５１０の内部構造と同じである。
【００３１】
次に、本実施形態のレンズホルダー５を使用した、カメラレンズの交換作業について、説明する。
【００３２】
まず、図９に示されるような状態にあるとする。図９は、図１を模式的に示す図である。すなわち、図９では、首から掛けられたレンズホルダー５に、交換用のカメラレンズ３２が保持されており、また、首から掛けられたカメラ１０では、カメラ本体２０にカメラレンズ３１が取り付けられている。
【００３３】
次に、図１０に示されるように、カメラレンズ３１を、カメラ本体２０から取り外し、レンズホルダー５の空いている凹部５０に取り付ける。
【００３４】
そして、図１１に示されるように、交換用のカメラレンズ３２を、レンズホルダー５から取り外し、カメラ本体２０に取り付ける。
【００３５】
このように、本実施形態のレンズホルダー５は、図９の状態で使用すると、次のような効果を発揮できる。
（１）カメラ本体２０から取り外したカメラレンズ３１を、凹部５０に取り付けて、首から掛けた状態で保持できる。したがって、カメラレンズ３１を仮置きしたり、カメラレンズ３１にリアキャップを取り付けたり、更にはバッグ４０に収納したりする、という作業を、不要にできる。よって、カメラレンズ３１からカメラレンズ３２への交換作業を迅速に行って、シャッターチャンスを生かすことができ、また、カメラレンズ３１が仮置きしたことによって傷付くのを、防止できる。
【００３６】
（２）交換用のカメラレンズ３２を予め一方の凹部５０に保持しているので、カメラ本体２０から取り外したカメラレンズ３１を、他方の凹部５０に取り付け、その後に、交換用のカメラレンズ３２を、一方の凹部５０から取り外して、カメラ本体２０に取り付けることができる。したがって、カメラマンの身体付近前方にてカメラレンズ３１からカメラレンズ３２への交換作業の全てを行うことができる。よって、前記（１）の効果をより有効に発揮できる。
【００３７】
［別の実施形態］
本発明のレンズホルダー５は、次のような構成を採用してもよい。
【００３８】
（ａ）ロック機構７を有するのが好ましい。ロック機構７は、凹部５０に保持されたカメラレンズを保持状態のままロックするようになっている。ロック機構７は、具体的には、例えば、図１２に示されるように、ロックピン７１とロック解除ボタン７２とを有している。ロックピン７１は、バネ（図示せず）によって常時付勢されており、それ故、初期状態においては、レンズホルダー５のホルダー本体５１の厚さ方向の表面から突出しており、ロック解除ボタン７２を押すことによって、ホルダー本体５１内に引っ込むようになっている。
【００３９】
ロック機構７は、次のように作動する。すなわち、カメラレンズ３１のマウント部３１１をレンズホルダー５の凹部５０に押し込むと、ロックピン７１がマウント部３１１の端面３１１０によってホルダー本体５１内に押し込まれる。この状態で、カメラレンズ３１を所定の位置まで回転させると、ロックピン７１が、マウント部３１１の端面３１１０に形成されているロック穴７３の位置で突出してロック穴７３に嵌合する。これによって、マウント部３１１がロック状態となる。ロック状態を解除する場合には、ロック解除ボタン７２を押す。これにより、ロックピン７１がホルダー本体５１内に引っ込むので、カメラレンズ３１が回転可能な状態となり、すなわち、ロック状態が解除される。
【００４０】
ロック機構７を有していると、レンズホルダー５からのカメラレンズの脱落を確実に防止できる。したがって、カメラレンズの交換作業を安心して行うことができる。
【００４１】
（ｂ）レンズホルダー５は、カメラレンズのマウント部に外嵌してカメラレンズを保持できる凹部を有するものであれば、リアキャップを用いた構成に限るものではない。
【００４２】
（ｃ）ホルダー本体５１の凹部５０にカメラレンズのマウント部が取り付けられる構造は、バヨネット式機構に限らず、ねじ込み式機構又はスピゴット式機構を採用してもよい。なお、いずれの機構も周知である。
【００４３】
（ｄ）吊り下げ部５２に連結する吊り下げ用具は、腰掛け用のストラップでもよい。図１４は、腰掛け用のストラップ６２によって、レンズホルダー５を腰から吊り下げた使用状態を示しており、レンズホルダー５には、カメラレンズ３２が保持されている。或いは、吊り下げ用具としての小さなストラップを吊り下げ部５２に連結して、レンズホルダー５をバッグ等から吊り下げてもよい。これらによれば、カメラマンの好みに応じた使用状態を実現できる。
【００４４】
（ｅ）レンズホルダー５は、凹部５０を、１個有していればよいが、２個以上有するのが好ましい。凹部５０を２個有するレンズホルダー５としては、例えば、図１５に示されるように、板状体の片面のみに凹部５０を２個有する構成を、採用できる。なお、この場合、凹部５０は、２個に限らず、３個以上でもよく、また、両面に設けられてもよい。
【００４５】
（ｆ）ホルダー本体５１は、板状体に限らず、例えば、図１６に示されるような三角柱形状でもよく、他の多角柱形状でもよい。図１６の場合には、３個の面５１５、５１６、５１７のそれぞれに凹部５０を設けるのが好ましい。これにより、３個のカメラレンズ３１，３２，３３を保持できる。
【００４６】
（ｇ）ホルダー本体５１は、２個のリアキャップ５１０を背中合わせに接合した構成に限らない。例えば、図１７に示されるように、凹部１５０を２個有し、樹脂例えばＡＢＳ樹脂（アクリロニトリルブタジエンスチレン共重合合成樹脂）から一体成形した構成の、ホルダー本体１５１でもよい。なお、凹部１５０は、凹部５０と同じ構成を有しており、２個に限らず、３個以上でもよい。
【産業上の利用可能性】
【００４７】
本発明のレンズホルダーは、カメラレンズの交換作業において有益に使用できるので、産業上の利用価値が大である。
【符号の説明】
【００４８】
１０  カメラ
２０  カメラ本体      
３，５１０  リアキャップ
３１，３２，３３  カメラレンズ
３１１  マウント部
３１１０  端面
３１１１  溝
３１１２  凸部
４０  バッグ
５  レンズホルダー
５０，１５０  凹部
５０１  内周面
５０２  バヨネット突起
５０３  スペース
５１，１５１  ホルダー本体
５１５，５１６，５１７  面
５２  吊り下げ部
６１，６２  ストラップ
６１１  端部
７  ロック機構
７１  ロックピン
７２  ロック解除ボタン
７３  ロック穴
【図１】
2015210372.tif 000003
【図２】
2015210372.tif 000004
【図３】
2015210372.tif 000005
【図４】
2015210372.tif 000006
【図５】
2015210372.tif 000007
【図６】
2015210372.tif 000008
【図７】
2015210372.tif 000009
【図８】
2015210372.tif 000010
【図９】
2015210372.tif 000011
【図１０】
2015210372.tif 000012
【図１１】
2015210372.tif 000013
【図１２】
2015210372.tif 000014
【図１３】
2015210372.tif 000015
【図１４】
2015210372.tif 000016
【図１５】
2015210372.tif 000017
【図１６】
2015210372.tif 000018
【図１７】
2015210372.tif 000019
【図１８】
2015210372.tif 000020
【図１９】
2015210372.tif 000021
【図２０】
2015210372.tif 000022
【図２１】
2015210372.tif 000023
【図２２】
2015210372.tif 000024
【図２３】
2015210372.tif 000025